(57)【要約】      （修正有）【課題】ＬＥＤ光源と水耕栽培技術を利用して独立した家電式で室内のリビングまたはキッチンにきれいに設けられることができる家電式植物栽培器を提供する。【解決手段】家電式植物栽培器は、フレーム１０、フレームのガイドレールにスライド可能に結合される複数の培養トレイ３と培養液供給入れ２、ＬＥＤ光源５、培養液ポンプと培養液供給のための配管とケーシングからなる。配管の連結口と、培養トレイの供給連結口と排出連結口は、互いに対応する雄連結口または雌連結口からなり、取り外すときに遮断する構造を有する。【選択図】図３
0003176525.tif 000002
【実用新案登録請求の範囲】
【請求項１】
内側壁に複数対で形成されたガイドレールを有するフレームと、供給連結口と排出連結口を有し前記ガイドレールにスライド可能に結合される複数の培養トレイと、培養液供給入れと、培養液ポンプと、両端に連結口を有し前記フレームに固定されて前記培養液供給入れから前記最上層の培養トレイへ前記培養液ポンプによって培養液を供給する第１配管と、両端に連結口を有し上部の培養トレイと下部の培養トレイの培養液を連通して前記フレームに固定される第２配管と、両端に連結口を有し上部の培養トレイと下部の培養液供給入れを連通して前記フレームに固定される第３配管と、前記培養トレイを光照射するＬＥＤアレイと、全面透明窓と換気口を有するケーシングとからなる家電式植物栽培器であって、前記第１配管、前記第２配管と前記第３配管の連結口と前記培養トレイの供給連結口と排出連結口は、互いに対応する雄連結口または雌連結口からなり、取り外すときに遮断構造を有する家電式植物栽培器。
【考案の詳細な説明】
【技術分野】
【０００１】
本考案は家電式植物栽培器に関するもので、家電製品のようにコンパクトな構造ときれいな概観を有する家電式植物栽培器に関する。
【背景技術】
【０００２】
特定波長の可視光線を効率的に放射するＬＥＤの特性と水耕栽培技法を用いて野菜などを含む植物を、大きくは、いわゆる室内植物工場のように大規模に、または、小さくは室内水耕栽培器のように家庭用として室内で衛生に生産しようとする数多くの試みがある。室内植物工場のような大規模の施設は生産性と品質が重要な要因である一方、家庭用の室内植物栽培器は、実用性だけでなくコンパクトな構造、管理の利便性ときれいな外見が重要な要素である。
【０００３】
特許文献１と特許文献２には多段棚型水耕栽培器として培養液が棚の底と排水通路との間で互いに連通するようにして流動するようにした構造を開示している。
【０００４】
特許文献３には多段引出し収納型水耕栽培器を開示している。各引出しは独立して静置された培養液を有しており、このような培養液は、曝気手段によって流動されると記載されているが、引出しを開閉するとき曝気手段を分離する方法は開示されていない。
【０００５】
特許文献４には室内水耕栽培器において異なる波長、例えば赤緑青（ＲＧＢ）のＬＥＤを備えて栽培植物とその成長条件に応じて光の波長と強さを選ぶ技術を開示している。
【０００６】
特許文献５には密閉した多層箱状の室内温室型植物栽培器を開示して植物培養板上の湾曲された蓋が太陽光を反射し易いようになっている。
【０００７】
特許文献５には植物工場ＬＥＤ照明装置であって、多層固定棚型植物栽培装置を開示している。天井部に配管路を形成して電線配管と空気配管路として使用することに特徴がある。
【０００８】
以上のように、前記技術にはＬＥＤ光源と水耕栽培技術を用いた多層棚構造の室内植物栽培器を記載しているが、培養液の流動が円滑でありながらも引き出しと分離が自由であり、現在のマンション住居環境でキッチンやリビングにきれいに導入することのできる完全な形態の植物栽培器は無いのが実情である。
【先行技術文献】
【特許文献】
【０００９】
【特許文献１】韓国登録実用新案第２０−０２５７９０６号
【特許文献２】韓国登録実用新案第２０−０３６９２３１号
【特許文献３】韓国登録実用新案第２０−０３９５９９９号
【特許文献４】韓国公開実用新案第２０−２０１０−０００８７６５号
【特許文献５】韓国特許登録第１０−０９１５４９３号
【考案の概要】
【考案が解決しようとする課題】
【００１０】
本考案はＬＥＤ光源と水耕栽培技術を利用して独立した家電式で室内のリビングまたはキッチンにきれいに設けることのできる家電式植物栽培器を提供するためのものである。
【００１１】
また、本考案はキッチンの流し台に内蔵式で収納できる家電式植物栽培器を提供するためのものである。
【課題を解決するための手段】
【００１２】
本考案によって、内側壁に複数対で形成されたガイドレールを有するフレームと、供給連結口と排出連結口を有し前記ガイドレールにスライド可能に結合される複数の培養トレイと、培養液供給入れと、培養液ポンプと、両端に連結口を有し前記フレームに固定されて前記培養液供給入れから前記最上層の培養トレイへ培養液を供給する第１配管と、両端に連結口を有し上部の培養トレイと下部の培養トレイの培養液を連通して前記フレームに固定される第２配管と、両端に連結口を有し上部の培養トレイと下部の培養液供給入れを連通して前記フレームに固定される第３配管と、前記フレームまたは前記ガイドレールに取り付けられるＬＥＤアレイと、全面透明窓と換気口を有するケーシングからなる家電式植物栽培器が提供される。
【００１３】
培養液供給入れを除いて培養トレイは少なくとも２層以上の多層を形成するが、好ましくは、２層または３層を形成する。換気口は換気筒とファンからなり、前記フレームを貫通してケーシングの外に空気を流通する。別の温度センサーをトレイの上に備えて温度に応じてファンを稼動することができる。
【００１４】
このような家電式植物栽培器は一般家電のように独立してリビングに配置したり、流し台のような家具に食器洗い機のように内蔵式で提供されることができる。ガイドレールと培養液供給配管が固定されるフレームには全面透明窓を有する扉が固定されてきれいな全面外観を有する。必要な場合はこのようなフレーム構造が全て全面透明窓を有する別途のケーシングに挿入されて全体的にきれいな外観を有することができる。
【００１５】
前記培養液供給入れは、前記培養トレイのように底に位置するフレームのガイドレールにスライド可能に結合されることができる。前記培養液供給入れには、必要な場合、レベルセンサーを備えて水位が基準以下に落ちたときドアにアラームで表示することができる。
【００１６】
前記培養液ポンプは、培養液供給入れの外部に固定されることもできるが、培養液供給入れ内に浸して設けられる水中ポンプが空間の活用や使用の利便性から有利である。このような培養トレイには複数の培養液流路を形成するために複数の支持突部が形成され、ポート支持板が支持突部に載せられて固定される。下部が開放されたポートは前記支持板のポート挿入孔に固定される。このようなポートで植物または野菜を支え培養液を円滑に供給するための媒体は、水耕栽培技術で広く知られているように連続気孔型人工素材、例えば、スポンジを使用する。
【００１７】
植物の光合成に必要な周波数の光エネルギーを供給するためにＬＥＤアレイを使用する。このようなＬＥＤアレイは、光合成に有利な赤色または青色の同じ波長のＬＥＤで構成されたり、互いに異なる波長のＬＥＤで構成されて必要に応じて選択することができる。このようなＬＥＤアレイは、例えば、蛍光灯などのように一字状であることができる。一つ以上のＬＥＤアレイが、例えば、フレームの天井、フレームの側面またはガイドレールの下部に取り付けられてトレイ上の植物に満遍なく光エネルギーを供給する。
【００１８】
培養トレイと培養液供給入れは、結合時に培養液が円滑に流れることで培養トレイと培養液供給入れを引出すときに培養液が配管の外に漏れないようにするため、培養トレイと、場合によっては、培養液供給入れには培養液供給連結口と排出連結口が備えられる。また、培養トレイへ培養液を供給して排出する配管の両端には、漏れを最小にしながら培養トレイと培養液供給入れの培養液供給連結口または排出連結口と分離及び結合が可能な連結口が備えられる。このような配管の連結と分離が正確に行われるためには連結配管がフレーム上の正確な位置に固定されていなければならず、少なくとも結合されるある一方が案内ガイドを有することが好ましい。培養トレイと培養液供給入れが配管と正確に結合されるためにガイドレールと培養トレイまたは培養液供給入れとの間には別途のガイドラインを有することができ、締結が完了した後締結保持構造を有することができる。例えば、バネと溝を利用したこのような締結保持構造は良く知られている。
【考案の効果】
【００１９】
本考案はＬＥＤ光源と水耕栽培技術を利用して独立した家電式で室内のリビングまたはキッチンにきれいに設けることのできる家電式植物栽培器を提供する。このような植物栽培器は、キッチンまたはリビングの近くに置いてＬＥＤ光源による飾り効果と共に新鮮な無公害の食べ物をその場で提供するという効果がある。
【図面の簡単な説明】
【００２０】
【図１】図１は本考案の植物栽培器が流し台に内蔵式で組み立てられている斜視図である。
【図２】図２は本考案の他の実施形態でケーシングに挿入されて独立した家電式で組み立てられた植物栽培器を図示した斜視図である。
【図３】図３は本考案の植物栽培器のケーシングを除去した状態の斜視図と培養トレイを図示した分解斜視図である。
【図４】図４は本考案の植物栽培器のケーシングを除去した状態を図示した側断面図である。
【図５】図５は本考案の植物栽培器のケーシングを除去した状態を図示した側後面図である。
【図６】図６は本考案の植物栽培器の連結口の解体時を図示した斜視図である。
【図７】図７は本考案の植物栽培器の連結口の締結時を図示した断面図である。
【図８】図８は本考案の植物栽培器の連結口の解体／締結時を図示した詳細断面図である。
【考案を実施するための形態】
【００２１】
以下、図面を参考に本考案を詳しく説明する。
【００２２】
培養トレイは３層以上であることもできるが、説明を単純化するために図面のように２層に形成する。長方形フレーム１０には培養トレイ３がスライドされるようにガイドレール６が取り付けられる。また、培養トレイ３の上下揺れを防ぐためにガイドライン６２がさらに提供される。ガイドレール６と培養トレイ３は完全締結時に保持されるようにバネボール（未図示）と溝（未図示）が提供される。下段の培養液供給入れ２もまた同じ方式でガイドレール６とガイドライン６２にスライドされて完全締結の際に保持される。
【００２３】
培養液ポンプ４は培養液供給入れ２内に浸して設けられ、培養液を配管４１を通じて培養トレイ３へ供給する。培養トレイ３には複数の培養液流路を形成するため複数の支持突部３２が形成され、ポート支持板３３が支持突部３２に載せられて固定される。下部が開放されたポート７は、前記支持板３３のポート挿入孔３４に固定される。このようなポートで植物または野菜を支え培養液を円滑に供給するための媒体としてはスポンジを使用する。
【００２４】
一字状ＬＥＤアレイは、フレームの天井またはガイドレールの下部に取り付けられたり、図面のようにフレーム１０の内側面に取り付けられる。反射鏡を使用してトレイ上の植物に満遍なく光エネルギーを供給する。
【００２５】
培養トレイと培養液供給入れと配管が互いに連結される連結口は、図６から図８に例示して説明する。このような連結口の雄５０ａと雌５０ｂは、図面のように、解体時にはそれぞれ雄連結口のバネ５６、栓５４と、雌連結口のバネ５３、栓５５によって遮断される。締結時にはそれぞれ雄連結口の通路５１ａと通路５５ａを介して連通し、雌連結口には通路５４ａを介して互いに連通する。このような両遮断構造が全ての連結口に必ずしも備えられる必要は無い。場合によっては連結口の一側にはチェック弁のみ構成されることができる。
【符号の説明】
【００２６】
２  培養液供給入れ
３  培養トレイ
３１  培養トレイ下板
３２  支持突部
３３  ポート支持板
３４  ポート挿入孔
４  培養液ポンプ
４１  第１配管
４２  第２配管
４３  第３配管
５  ＬＥＤアレイ
６  ガイドレール
６２  ガイドライン
７  ポート
１０  フレーム
２０  植物栽培器
２１  ケーシング
２２  ドア
５０ａ  雄連結口
５０ｂ  雌連結口 
【図１】
0003176525.tif 000003
【図２】
0003176525.tif 000004
【図３】
0003176525.tif 000005
【図４】
0003176525.tif 000006
【図５】
0003176525.tif 000007
【図６】
0003176525.tif 000008
【図７】
0003176525.tif 000009
【図８】
0003176525.tif 000010